(57)【特許請求の範囲】
【請求項１】
冷房装置用の室外機の熱交換器を介して前記室外機周辺の空気と熱交換することにより冷媒を凝縮する際に、前記熱交換器の放熱性を高めるために用いる冷房補助装置において、
給水源より供給された水から逆浸透膜を利用して逆浸透膜処理水を生成する逆浸透膜処理水生成手段と、噴霧口を前記室外機周辺の空気に向けた一流体ノズルからなる微小口径の噴霧ノズルと、該噴霧ノズルに前記逆浸透膜処理水生成手段で生成された逆浸透膜処理水を高圧で供給する処理水供給手段とを備え、
該処理水供給手段は、前記逆浸透膜処理水を一時的に貯留する加圧タンクと、該加圧タンクに貯留された逆浸透膜処理水を前記噴霧ノズルに供給するダイヤフラムポンプからなる移送手段とを備え、
前記噴霧ノズルより室外機周辺の空気に向けて前記逆浸透膜処理水が所望の粒径で微細ミスト状に噴霧されるようにしたことを特徴とする冷房補助装置。
【請求項２】
前記処理水供給手段は、前記逆浸透膜処理水の前記噴射ノズルへの供給を制御する制御部を備え、前記噴射ノズルに所望の間隔で間欠的に噴霧させるようにした請求項１に記載の冷房補助装置。
【請求項３】
前記噴霧ノズルは、前記室外機の外面に噴霧口を外側に向けて固定された請求項１又は２に記載の冷房補助装置。
【請求項４】
冷房装置用の室外機の熱交換器を介して前記室外機周辺の空気と熱交換することにより冷媒を凝縮する際に、熱交換器周辺の空気を冷却することにより前記熱交換器の放熱性を高める冷房補助方法であって、
給水源より供給された水から逆浸透膜を利用して逆浸透膜処理水を生成し、加圧タンクに一時的に貯留した前記逆浸透膜処理水をダイヤフラムポンプからなる移送手段によって一流体ノズルからなる微小口径の噴霧ノズルに高圧で供給し、前記逆浸透膜処理水を前記室外機周辺の空気に向けた前記噴霧ノズルから所望の粒径で微細ミスト状に噴霧することを特徴とする冷房補助方法。
【請求項５】
前記逆浸透膜処理水を所望の間隔で間欠的に噴霧する請求項４に記載の冷房補助方法。
【発明の詳細な説明】
【技術分野】
【０００１】
本発明は、屋外に設置された冷房装置用室外機の熱交換器による放熱特性を向上させ、冷房装置全体の省力化を可能にする冷房補助装置及び冷房補助方法に関する。
【背景技術】
【０００２】
冷房装置は、屋外に室外機を備え、冷媒がこの室外機の熱交換器を通して放熱し、凝縮するようになっており、その為、熱交換器による放熱特性が冷房装置全体の運転効率に大きく影響する。
【０００３】
特に、都市部のオフィスビル等では、限られた屋上スペースに多数の室外機が密集した状態で設置され、それらが日差しに晒されることで各室外機の熱交換器自体の温度及び室外機周辺空気温度の上昇を招くことから、熱交換器の放熱特性の低下が懸念されていた。
【０００４】
そこで、従来では、室外機の熱交換器の放熱特性向上を図るべく室外機の熱交換器を冷却する冷房補助装置が使用されている（例えば、特許文献１を参照）。
【０００５】
この冷房補助装置は、熱交換器に向けて散水し、熱交換器自体を冷却することにより放熱特性を高め、冷房装置全体の運転効率向上を図っている。
【０００６】
しかしながら、この種の冷房補助装置では、主に水道水を熱交換器に向けて直接散水するため、水道水に含まれるカルシウム、マグネシウム、シリカ等の成分からなるスケール（水垢）が熱交換器に付着し、それによって熱交換器の性能が損なわれる虞があり、また、水道水に含まれる塩素成分等により熱交換器の腐食を招く虞もあった。
【０００７】
一方、この種の冷房補助装置では、散水量や散水のタイミングを厳密に制御することにより、スケールの付着や腐食の軽減を図る技術（例えば、特許文献２を参照）が提案されているが、このような従来の技術では、装置が複雑化し、装置が高価になる上、スケールの付着や腐食の問題の根本的な改善には至っていなかった。
【０００８】
そこで、この種の冷房補助装置にあっては、給水源より供給された水から逆浸透膜処理により逆浸透膜処理水（以下、ＲＯ水という）を生成する逆浸透膜処理水生成手段を備え、水道水に換えて逆浸透膜処理を施したＲＯ水を熱交換器に向けて散布するようにしたものが開発されている（例えば、特許文献３を参照）。
【先行技術文献】
【特許文献】
【０００９】
【特許文献１】特開２０００−０６５４０９号公報
【特許文献２】特開２００１−３１７８２１号公報
【特許文献３】特開２０１０−２４３１４４号公報
【発明の概要】
【発明が解決しようとする課題】
【００１０】
しかしながら、上述の如き従来の技術では、ＲＯ水を直接熱交換器に散布し、熱交換器を冷却する構造であることから、熱交換器にＲＯ水を万遍無く散布する必要、即ち、広い散布対象面積に対し多量のＲＯ水を散布する必要がある。
【００１１】
よって、このＲＯ水を利用した冷房補助装置では、多量のＲＯ水を生成するために大型の逆浸透膜処理水生成手段を必要とし、その分、装置の導入コスト及び運転コストが嵩むという問題があった。
【００１２】
また、この種の熱交換器に直接散水し、熱交換器を冷却する冷房補助装置では、散布量が多い為、散布したＲＯ水が蒸発又は消散せずに残存し、非効率的であるとともに、余剰ＲＯ水が室外機周辺の床面や室外機内を水浸しにする虞があり、その為、従来では、余剰ＲＯ水を処理するための手段を必要とし、その分、装置の導入コスト及び運転コストが嵩むという問題があった。
【００１３】
そこで、本発明は、このような従来の問題に鑑み、熱交換器のスケール付着や腐食を防止しつつ、放熱特性の向上を図れ、且つ、装置導入費及び運転費用が安価な冷房補助装置及び冷房補助方法の提供を目的としてなされたものである。
【課題を解決するための手段】
【００１４】
上述の如き従来の問題を解決し、所期の目的を達成するための請求項1に記載の発明の特徴は冷房装置用の室外機の熱交換器を介して前記室外機周辺の空気と熱交換することにより冷媒を凝縮する際に、前記熱交換器の放熱性を高めるために用いる冷房補助装置において、給水源より供給された水から逆浸透膜を利用して逆浸透膜処理水を生成する逆浸透膜処理水生成手段と、噴霧口を前記室外機周辺の空気に向けた一流体ノズルからなる微小口径の噴霧ノズルと、該噴霧ノズルに前記逆浸透膜処理水生成手段で生成された逆浸透膜処理水を高圧で供給する処理水供給手段とを備え、該処理水供給手段は、前記逆浸透膜処理水を一時的に貯留する加圧タンクと、該加圧タンクに貯留された逆浸透膜処理水を前記噴霧ノズルに供給するダイヤフラムポンプからなる移送手段とを備え、前記噴霧ノズルより室外機周辺の空気に向けて前記逆浸透膜処理水が所望の粒径で微細ミスト状に噴霧されるようにした冷房補助装置にある。
【００１５】
請求項２に記載の発明の特徴は、請求項１の構成に加え、前記処理水供給手段は、前記逆浸透膜処理水の前記噴射ノズルへの供給を制御する制御部を備え、前記噴射ノズルに所望の間隔で間欠的に噴霧させるようにしたことにある。
【００１６】
請求項３に記載の発明の特徴は、請求項１又は２の構成に加え、前記噴霧ノズルは、前記室外機の外面に噴霧口を外側に向けて固定されたことにある。
【００１７】
請求項４に記載の発明の特徴は、冷房装置用の室外機の熱交換器を介して前記室外機周辺の空気と熱交換することにより冷媒を凝縮する際に、熱交換器周辺の空気を冷却することにより前記熱交換器の放熱性を高める冷房補助方法であって、給水源より供給された水から逆浸透膜を利用して逆浸透膜処理水を生成し、加圧タンクに一時的に貯留した前記逆浸透膜処理水をダイヤフラムポンプからなる移送手段によって一流体ノズルからなる微小口径の噴霧ノズルに高圧で供給し、前記逆浸透膜処理水を前記室外機周辺の空気に向けた前記噴霧ノズルから所望の粒径で微細ミスト状に噴霧する冷房補助方法にある。
【００１８】
請求項５に記載の発明の特徴は、請求項４の構成に加え、前記逆浸透膜処理水を所望の間隔で間欠的に噴霧することにある。
【発明の効果】
【００１９】
本発明に係る冷房補助装置は、上述したように、冷房装置用の室外機の熱交換器を介して前記室外機周辺の空気と熱交換することにより冷媒を凝縮する際に、前記熱交換器の放熱性を高めるために用いる冷房補助装置において、給水源より供給された水から逆浸透膜を利用して逆浸透膜処理水を生成する逆浸透膜処理水生成手段と、噴霧口を前記室外機周辺の空気に向けた一流体ノズルからなる微小口径の噴霧ノズルと、該噴霧ノズルに前記逆浸透膜処理水生成手段で生成された逆浸透膜処理水を高圧で供給する処理水供給手段とを備え、該処理水供給手段は、前記逆浸透膜処理水を一時的に貯留する加圧タンクと、該加圧タンクに貯留された逆浸透膜処理水を前記噴霧ノズルに供給するダイヤフラムポンプからなる移送手段とを備え、前記噴霧ノズルより室外機周辺の空気に向けて前記逆浸透膜処理水が所望の粒径で微細ミスト状に噴霧されるようにしたことにより、ＲＯ水を使用するので熱交換器へのスケールの付着や腐食を防げ、且つ、噴霧ノズルの目詰まりも防止できる。更には、少ない水量で熱交換器の放熱特性の向上を図れるので、装置の導入費及びランニングコストを抑えることができる。
【００２０】
また、本発明において、前記処理水供給手段は、前記逆浸透膜処理水の前記噴射ノズルへの供給を制御する制御部を備え、前記噴射ノズルに所望の間隔で間欠的に噴霧させるようにしたことにより、使用水量を抑え、ランニングコストの低減を図ることができる。
【００２１】
更に、本発明において、前記噴霧ノズルは、前記室外機の外面に噴霧口を外側に向けて固定されたことにより、室外機の周辺空気に向けて好適にＲＯ水ミストを噴霧できる。
【００２２】
本発明において、冷房装置用の室外機の熱交換器を介して前記室外機周辺の空気と熱交換することにより冷媒を凝縮する際に、熱交換器周辺の空気を冷却することにより前記熱交換器の放熱性を高める冷房補助方法であって、給水源より供給された水から逆浸透膜を利用して逆浸透膜処理水を生成し、加圧タンクに一時的に貯留した前記逆浸透膜処理水をダイヤフラムポンプからなる移送手段によって一流体ノズルからなる微小口径の噴霧ノズルに高圧で供給し、前記逆浸透膜処理水を前記室外機周辺の空気に向けた前記噴霧ノズルから所望の粒径で微細ミスト状に噴霧することにより、ＲＯ水を使用するので熱交換器へのスケールの付着や腐食を防げ、且つ、噴霧ノズルの目詰まりも防止できる。更には、少ない水量で熱交換器の放熱特性の向上を図ることができる。
【００２３】
また、本発明において、前記逆浸透膜処理水を所望の間隔で間欠的に噴霧することにより、使用水量を抑えランニングコストの低減を図ることができる。
【図面の簡単な説明】
【００２４】
【図１】本発明に係る冷房補助装置の使用態様を示す側面図である。
【図２】図１中の逆浸透膜処理水生成手段の概要を示すブロック図である。
【図３】同上の処理水供給手段の概要を示すブロック図である。
【図４】同上の噴霧ノズルの使用態様の一例を示す平面図である。
【図５】本発明装置及び本発明方法の冷房補助効果を検証する際の各噴霧ノズルの設置位置を説明するための模式図である。
【発明を実施するための形態】
【００２５】
次に、本発明の実施の態様を図面に示した実施例に基づいて説明する。尚、図中符号１は冷房装置用の室外機、符号２は冷房補助装置である。
【００２６】
室外機１は、内部に冷媒の循環路（図示せず）が通る箱状の筐体１１と、循環路上に設けられた熱交換器１２，１２とを備え、熱交換器１２，１２を介して室外機１周辺の空気と熱交換することにより冷媒を凝縮するようになっている。
【００２７】
また、この室外機１には、内部にファン１３等の通風手段を備え、室外機１外より空気を取り込み、熱交換器１２，１２との熱交換を経て外部に排気されるようになっている。
【００２８】
冷房補助装置２は、冷媒が室外機１の熱交換器１２，１２を介して室外機１周辺の空気と熱交換する際、熱交換器１２，１２の放熱特性を高めるために用いられる。
【００２９】
この冷房補助装置２は、給水源３より供給された水から逆浸透膜を利用して逆浸透膜処理水（以下、ＲＯ水という）を生成する逆浸透膜処理水生成手段４と、噴霧口を室外機１周辺の空気に向けた複数の噴霧ノズル５，５...と、各噴霧ノズル５，５...に逆浸透膜処理水生成手段４で生成されたＲＯ水を所望の水圧で供給する処理水供給手段６とを備え、給水源３、逆浸透膜処理水生成手段４、処理水供給手段６を順次経ることにより噴霧ノズル５，５...より室外機１の周辺の空気に向けてＲＯ水が所望の粒径で微細ミスト状に噴霧できるようになっている。
【００３０】
給水源３は、特に限定されないが、例えば、水道水の取水口から取水するようにしてもよく、屋上に設置された貯水タンクから取水するようにしてもよい。
【００３１】
逆浸透膜処理水生成手段４は、図２に示すように、給水源３より供給された水をろ過する前処理部４１と、逆浸透膜を有する逆浸透膜モジュール４２，４２...と、前処理部４１と逆浸透膜モジュール４２，４２...との間に介在させた移送手段４３と、移送手段４３の動作を制御する制御部４４とを備え、給水源３より供給された水道水等の水が、各部を連結する管路４５１〜４５５を通して前処理部４１及び逆浸透膜モジュール４２，４２...を順次経ることによりＲＯ水が生成され、そのＲＯ水が処理水供給口４７より処理水供給手段６に供給されるようになっている。
【００３２】
尚、この逆浸透膜処理水生成手段４は、箱状の筐体４６を備え、この筐体４６内に前処理部４１、逆浸透膜モジュール４２，４２...及び移送手段４３を含む各部が収容されてユニット化されている。
【００３３】
前処理部４１は、セディメントフィルタ４１１や活性炭フィルタ４１２，４１３等の複数種のフィルタを備え、この各種フィルタ４１１〜４１３を通すことにより給水源３から取り込んだ水から錆や塵等の微細な不純物を除去するとともに、脱色、脱臭するようになっている。
【００３４】
前処理部４１の終端に連結された管路４５２は、他端が分岐して移送手段４３に接続され、移送手段４３の動作により前処理された水が逆浸透膜モジュール４２，４２...に移送されるとともに、給水源３より水を前処理部４１に取り込むようになっている。
【００３５】
移送手段４３には、複数のダイヤフラムポンプ４３１，４３１...を使用し、各ダイヤフラムポンプ４３１の動作を制御部４４で制御し、所望の流量及び水圧で水を移送できるようになっている。
【００３６】
逆浸透膜モジュール４２，４２...は、移送手段４３を介して前処理部４１から移送された水を通すことにより、逆浸透膜を利用して逆浸透膜を通過した水（逆浸透膜処理水）と、不純物が高濃度で溶解した濃縮水とに分離され、逆浸透膜処理水（ＲＯ水）からは、塩分、金属イオン、溶解シリカ等の不純物の全てが実質的に除去される。
【００３７】
尚、分離されたＲＯ水と濃縮水とは、移送手段４３の動作に連動して処理水供給口４７と濃縮排水口４８とにそれぞれ管路４５４，４５５を通して移送され、生成されたＲＯ水は処理水供給手段６に供給され、濃縮水は排水処理されるようになっている。
【００３８】
処理水供給口４７と逆浸透膜モジュール４２，４２...とを結ぶ管路４５４には、高圧スイッチ４９１、流量計４９２、水質計４９３等の各種計測器が介在され、各計測器４９１〜４９３によって計測されたデータが制御部４４に送られ、制御部４４はこれら計測データに基づき移送手段４３、即ち、ダイヤフラムポンプ４３１，４３１...を制御するようになっている。尚、図中符号４９４、４９５は、管路４５１〜４５５を流れる水の水圧を計測する圧力計である。
【００３９】
尚、図中符号７は逆浸透膜処理水生成手段４と処理水供給手段６とを連結する連通ホースであって、連通ホース７の一端が継手を介して処理水供給口４７に連結され、他端が処理水供給手段６の導水口６１に連結する。
【００４０】
処理水供給手段６は、図３に示すように、ＲＯ水を一時的に貯留する貯水部６２と、貯水部６２とノズル側接続口６８との間に介在させた移送手段６３と、移送手段６３の動作を制御する制御部６４とを備え、各部が管路６５１〜６５５により連結され、導水口６１より導入されたＲＯ水を貯水部６２で一時的に貯留し、それを給水ホース８を通して所望の水圧で各噴霧ノズル５，５...に供給できるようになっている。
【００４１】
尚、この処理水供給手段６は、箱状の筐体６６を備え、この筐体６６内に貯水部６２、移送手段６３及び制御部６４を含む各部が収容されてユニット化されている。
【００４２】
また、この処理水供給手段６には、室外機１周辺の温度を計測する温度計６７１、湿度等を計測する湿度計６７２等からなる雰囲気計測手段６７を備え、雰囲気計測手段６７から送られた計測データに基づき制御部６４は移送手段６３を制御するようになっている。
【００４３】
貯水部６２は、加圧タンク等の一定量の貯水が可能な貯水タンク６２１，６２１により構成され、貯水部６２の一端が管路６５１を通じて導水口６１に接続され、他端が管路６５２を通して分岐して移送手段６３に接続されている。
【００４４】
移送手段６３は、複数のダイヤフラムポンプ６３１，６３１...により構成され、直列配置されたダイヤフラムポンプ６３１，６３１が複数系統（図中では３系統）に分岐して備えられており、各ダイヤフラムポンプ６３１，６３１...を制御部６４で制御することにより、所望の流量のＲＯ水を高圧で移送できるようになっている。
【００４５】
制御部６４は、ＣＰＵ等からなる演算部と、動作タイミングを制御するためのタイマー部と、各ダイヤフラムポンプ６３１，６３１...に動作信号を送信するスイッチングデバイスとを備え、所望のタイミングで各ダイヤフラムポンプ６３１，６３１...を動作させることにより所望の系統を適宜選択し、所望の供給タイミングでＲＯ水を各噴霧ノズル５，５...に供給できるようになっている。
【００４６】
移送手段６３より導出した各管路６５３〜６５５は、それぞれノズル側接続口６８に接続され、ノズル側接続口６８にそれぞれ各噴霧ノズル５，５...に接続された給水ホース８が接続されている。
【００４７】
また、移送手段６３とノズル側接続口６８とを結ぶ各管路６５３〜６５５には、水圧調節弁６９１からなる水圧調整手段６９が介在され、噴射ノズル５，５...に移送されるＲＯ水を所望の水圧に調整できるようになっている。尚、図中符号６９２は各管路６５３〜６５５を流れるＲＯ水の水圧を計測する圧力計である。
【００４８】
噴霧ノズル５，５...は、微小口径の一流体ノズルであって、ノズル口径が０．１５ｍｍ〜０．５ｍｍのものを使用し、処理水供給手段６より所望の水圧で供給されたＲＯ水を１．３〜４８μｍの所望の粒径で微細ミスト状に噴霧するようになっている。
【００４９】
各噴霧ノズル５，５...の使用態様は、特に限定されないが、例えば、図４に示すように、室外機１の外面であって、熱交換器１２，１２が露出した面に幅方向に間隔を置いて噴霧口を水平方向外側に向けて固定されることが好ましく、室外機１の大きさ、熱交換器１２，１２が露出した面の面積に応じて噴霧ノズル５，５...を上下方向に多段配置に備えるようにしてもよい。
【００５０】
また、室外機１に隣接する床面上に各噴霧ノズル５，５...を支持するノズル支持体５１を設置し、各噴霧ノズル５，５...の噴霧口を直接熱交換器１２，１２に向けないようにノズル支持体５１に支持させるようにしてもよい。
【００５１】
このように構成された冷房補助装置２を使用した冷房補助方法では、給水源３より供給された水から逆浸透膜処理水生成手段４で逆浸透膜を利用して逆浸透膜処理水を生成し、逆浸透膜処理水を室外機１周辺の空気に向けて所望の粒径で噴霧することにより、冷房装置用の室外機１の熱交換器１２，１２を介して室外機１周辺の空気と熱交換することにより冷媒を凝縮する際に、熱交換器１２，１２周辺の空気を冷却することにより熱交換器１２，１２の放熱性を高めることができる。
【００５２】
即ち、本発明方法では、各噴霧ノズル５，５...より室外機１周辺の空気に向けてＲＯ水を微細なミスト状に噴霧することにより、ＲＯ水ミストが気化し、室外機１周辺の空気から気化熱を奪うことで、室外機１周辺の空気の温度が低下し、室外機１は、その低下した周辺の空気を取り込み、熱交換器１２，１２との熱交換を経て外部に排気するので熱交換器１２，１２の放熱特性が向上する。
【００５３】
その際、室外機１周辺の空気に向けてＲＯ水を微細ミスト状に噴霧するので、熱交換器１２，１２に直接散水する場合に比べて、少ない水量で効率的に熱交換器１２，１２の放熱特性を高めることができ、噴霧されたＲＯ水は、気化して消散するので熱交換器１２，１２に直接付着せず、スケールの付着及び腐食を防止することができ、床面や室外機１内に落下して水浸しにしたりすることがないので、余剰水処理のための手段も必要としない。
【００５４】
従って、逆浸透膜処理水生成手段４及び処理水供給手段６の処理容量が小さくてよく、その分、装置の小型化及び低価格化を実現し、運転費用（ランニングコスト）の低減も図ることができる。
【００５５】
また、噴霧にＲＯ水を使用するので、取り込まれる室外機１周辺の空気に含有される不純物を抑制でき、熱交換器１２，１２に対する付着物及び腐食を防止することができ、更には、微小口径である噴霧ノズル５，５...の不純物による目詰まりを防止でき、寿命が長く管理も容易である。
【００５６】
更には、ＲＯ水を所望の時間間隔で間欠的に噴霧することにより、装置の稼働時間の短縮及び噴霧するＲＯ水の水量の低減を図ることができる。尚、ＲＯ水の噴霧間隔は、噴霧している時間及び停止している時間ともに特に限定されないが、５秒程度噴霧した後、１５〜３０秒停止することが好ましく、停止間隔は室外機１周辺の温度、湿度その他の諸条件に基づいて調整する。また、連続して噴霧するようにしてもよい。
【００５７】
次に、本発明装置及び本発明方法による冷房補助効果について説明する。
【００５８】
ここでは、上面部にファン１３等の通風手段が、筐体１１の外側面に熱交換器１２，１２がそれぞれ配置され、室外機１の外側面より周辺空気を取り込み、熱交換を経て上面より排気するようにした室外機１を使用し、噴霧ノズル５，５...の取付け位置及び角度、噴霧間隔が異なる実施例について冷房装置全体の使用電気量削減率を測定し、使用電気量削減率に基づき冷房補助効果について検証した。
【００５９】
また、噴霧ノズル５，５...には、口径の異なる３種類の噴霧ノズル５，５...（それぞれ口径が０．１５ｍｍ、０．３ｍｍ、０．５ｍｍ）を使用し、ノズル口径の違いによる冷房補助効果についても検証した。
【００６０】
実施例１では、室外機１外側面上端（図５（ａ））に二つの噴霧ノズル５，５...を水平幅方向に間隔を置いて設置し、５秒噴霧した後３０秒停止する噴霧間隔を繰り返した。
【００６１】
実施例２では、室外機１全高の上端より１／３程度の高さ（図５（ｂ））に二つの噴霧ノズル５，５...を水平幅方向に間隔を置いて設置し、５秒噴霧した後３０秒停止する噴霧間隔を繰り返した。
【００６２】
実施例３では、室外機１全高の上端より１／３程度の高さ（図５（ｂ））に二つの噴霧ノズル５，５...を幅方向に間隔を置いて設置し、５秒噴霧した後１５秒停止する噴霧間隔を繰り返した。
【００６３】
実施例４では、室外機１全高の上端より１／３程度及び２／３程度の高さ（図５（ｃ））毎に二つの噴霧ノズル５，５...を水平幅方向に間隔を置いて設置し、５秒噴霧した後３０秒停止する噴霧間隔を繰り返した。
【００６４】
実施例５では、室外機１全高の上端より１／３程度及び２／３程度の高さ（図５（ｃ））毎に二つの噴霧ノズル５，５...を水平幅方向に間隔を置いて設置し、５秒噴霧した後１５秒停止する噴霧間隔を繰り返した。
以下にその結果を示す。
【００６５】
【表１】
0005896331.tif 000002
【００６６】
このように本発明に係る冷房補助装置２及び冷房補助方法を使用することにより本冷房補助装置２を含む冷房装置全体の使用電気量が削減されることを確認した。
【００６７】
特に、噴霧間隔において停止時間を短くした場合には、使用水量は多くなるが、装置全体の使用電気量が少なくなり、全体としてランニングコストの低減が図られる。
【００６８】
また、ノズル口径が０．３ｍｍの場合が最も使用電気量の削減効率が高かった。即ち、冷房補助には、噴霧されるＲＯ水のミスト粒径が大きく影響し、ミスト粒径が小さいと風の影響で流され、逆にミスト粒径が大きいと比重で落下し易くなり周辺空気が冷却され難くなる。
【００６９】
尚、上述の実施例では、逆浸透膜処理水生成手段４と、処理水供給手段６とをそれぞれ別個にユニット化した例について説明したが、逆浸透膜処理水生成手段４と、処理水供給手段６とを一体的に備えるようにしてもよい。
【符号の説明】
【００７０】
１  室外機
１１  筐体
１２  熱交換器
１３  ファン
２  冷房補助装置
３  給水源
４  逆浸透膜処理水生成手段
４１  前処理部
４２  逆浸透膜モジュール
４３  移送手段
４４  制御部 
４５１〜４５５  管路
４６  筐体
４７  処理水供給口
４８  濃縮排水口
４９１  高圧スイッチ
４９２  流量計
４９３  水質計
４９４，４９５  圧力計
５  噴霧ノズル
５１  ノズル支持体
６  処理水供給手段
６１  導水部
６２  貯水部
６３  移送手段
６４  制御部
６５１〜６５５  管路
６６  筐体
６７  雰囲気計測手段
６８  ノズル側接続口
６９  水圧調節手段
６９１  水圧調節弁
６９２  圧力計
７  連通ホース
８  給水ホース  
【要約】
【課題】熱交換器のスケール付着や腐食を防止しつつ、放熱特性の向上を図れ、且つ、装置導入費及び運転費用が安価な冷房補助装置及び冷房補助方法の提供。
【解決手段】冷房装置用の室外機１の熱交換器１２を介して室外機周辺の空気と熱交換することにより冷媒を凝縮する際に、熱交換器１の放熱性を高めるために用いる冷房補助装置２において、給水源３より供給された水から逆浸透膜を利用して逆浸透膜処理水を生成する逆浸透膜処理水生成手段４と、噴霧口を室外機１周辺の空気に向けた噴霧ノズル５，５...と、噴霧ノズル５に逆浸透膜処理水生成手段４で生成された逆浸透膜処理水を所望の水圧で供給する処理水供給手段６とを備え、噴霧ノズル５，５...より室外機１周辺の空気に向けて逆浸透膜処理水が所望の粒径で噴霧されるようにした。
【選択図】図１【図１】
0005896331.tif 000003
【図２】
0005896331.tif 000004
【図３】
0005896331.tif 000005
【図４】
0005896331.tif 000006
【図５】
0005896331.tif 000007